(57)【要約】      （修正有）【課題】現場において分割パネルの組み立て・分解が可能であり、かつ、十分な強度を備えることができるシャッターのパネル構造を提供する。【解決手段】第１表面材と第２表面材から中空状に形成された分割パネル１Ａ、１Ｂを幅方向に連結してなる。第１分割パネル１Ａの中空部の上側部位、下側部位には第１上側連結部材（第１連結部材４）、第１下側連結部材（第２連結部材５）がそれぞれ固定されており、第２分割パネル１Ｂの中空部の上側部位、下側部位には第２上側連結部材（第２連結部材５）、第２下側連結部材（第１連結部材４）がそれぞれ固定されており、第１上側連結部材と第２上側連結部材を着脱可能に連結し、第１下側連結部材と第２下側連結部材を着脱可能に連結することで、第１分割パネル１Ａと第２分割パネル１Ｂが連結されており、第１分割パネル１Ａと第２分割パネル１Ｂの間の空間を覆うように、細幅分割パネルが着脱可能に装着される。【選択図】図９
2018141287.tif 000002
【特許請求の範囲】
【請求項１】
第１表面材と第２表面材から中空状に形成された２つ以上の分割パネルを幅方向に連結してなるパネル構造であって、
幅方向に隣り合う第１分割パネルと第２分割パネルにおいて、
第１分割パネルの中空部の上側部位、下側部位には第１上側連結部材、第１下側連結部材がそれぞれ固定されており、
第２分割パネルの中空部の上側部位、下側部位には第２上側連結部材、第２下側連結部材がそれぞれ固定されており、
第１上側連結部材と第２上側連結部材を着脱可能に連結し、第１下側連結部材と第２下側連結部材を着脱可能に連結することで、第１分割パネルと第２分割パネルが連結されており、
第１分割パネルと第２分割パネルの間には空間が形成されており、前記空間を覆うように、細幅分割パネルが着脱可能に装着されている、
シャッターのパネル構造。
【請求項２】
前記第１上側連結部材は、前記第１分割パネルの中空部の上側部位の内面の一部に当接するように固定され、当該第１上側連結部材と前記上側部位によって囲まれた第１上側ホロー構造が形成されており、
前記第１下側連結部材は、前記第１分割パネルの中空部の下側部位の内面の一部に当接するように固定され、当該第１下側連結部材と前記下側部位によって囲まれた第１下側ホロー構造が形成されており、
前記第２上側連結部材は、前記第２分割パネルの中空部の上側部位の内面の一部に当接するように固定され、当該第２上側連結部材と前記上側部位によって囲まれた第２上側ホロー構造が形成されており、
前記第２下側連結部材は、前記第２分割パネルの中空部の下側部位の内面の一部に当接するように固定され、当該第２下側連結部材と前記下側部位によって囲まれた第２下側ホロー構造が形成されている、
請求項１に記載のシャッターのパネル構造。
【請求項３】
前記第１上側連結部材と前記第２上側連結部材は、第３上側連結部材を介して連結されており、前記第３上側連結部材は、第１上側連結部材及び第２上側連結部材の一方あるいは両方に着脱可能に連結されており、
前記第１下側連結部材と前記第２下側連結部材は、第３下側連結部材を介して連結されており、前記第３下側連結部材は、第１下側連結部材及び第２下側連結部材の一方あるいは両方に着脱可能に連結されている、
請求項１、２いずれか１項に記載のシャッターのパネル構造。
【請求項４】
前記第１分割パネルの幅方向端縁と前記細幅分割パネルの幅方向端縁との間、前記第２分割パネルの幅方向端縁と前記細幅分割パネルの幅方向端縁との間には隙間が存在しており、
前記第１分割パネル、前記第２分割パネルには、前記隙間を内側から塞ぐように塞ぎ要素が設けてある、
請求項１〜３いずれか１項に記載のシャッターのパネル構造。
【発明の詳細な説明】
【技術分野】
【０００１】
本発明はシャッター（典型的にはパネルシャッター）のパネル構造に係り、詳しくは、複数の部分から組立分解可能なパネル構造に関するものである。
【背景技術】
【０００２】
パネルシャッターは、複数枚のパネルを高さ方向に連結してなるシャッターカーテンによって開口部を開閉するシャッターである。各パネルの長手方向両端部にはガイドローラを有する支軸が突設されており、各パネルを支軸を介してチェーンで上下に連結し、開閉機によってチェーンを巻き上げることで、開口部上方に設けた収納部内の収納レールにパネルを順次案内して収納部にパネルを収納して開口部を開放し、開口部全閉時には、複数のパネルが上下方向に互いに密接することで開口部を閉鎖する（特許文献１参照）。
【０００３】
一般にパネルシャッターの各パネルは開口部全幅に延びる１枚の構造体から製作されているため、開口幅寸法が大きくなると、それだけ各パネルの幅寸法が大きくなる。このことは、パネル交換時に現場（特に建物内部の開口部を仕切る場合）へのパネル搬入が困難な場合があり得る（有効なパネル搬入経路が確保できない）、パネル重量が大きくなるため現場での作業性が悪くなる、という課題が生じることを意味する。
【０００４】
かかる課題を解決するものとして、パネルを複数の部分に分割可能とすることが提案されている（特許文献２、３）。ここで、パネルを分割可能な構造とする場合には、パネル（特に、分割部）の強度をいかに確保するかが重要である。特に分割部には、パネル自重による垂直方向の荷重が作用するため、パネルの厚さ方向に作用する面圧に加えて、垂直荷重に耐え得る構造である必要がある。また、現場での組み立て分解作業を考慮すると、分割部を溶接（強度上は有利であるが）で組み立てることは避けるべきである。
【０００５】
特許文献２、３には、分割部の組み立てに溶接を用いないパネル分割構造が記載されているが、いずれも、分割部の強度（特に垂直方向の力）は、分割部を連結する螺子（ピンやボルト）に依存していることから、分割部の強度が十分であるとは言えない。
【０００６】
また、パネルに遮音性能が要求される場合には、分割部でいかに遮音性能の低下を防止するか、という課題もある。
【特許文献１】実公平７−４８９６０号
【特許文献２】実開平５−７８９４号
【特許文献３】実開平５−７３１９３号
【発明の開示】
【発明が解決しようとする課題】
【０００７】
本発明は、幅方向に分割された複数の分割パネルからなるパネル構造において、現場において分割パネルの組み立て・分解が可能であり、かつ、パネルに作用する力に耐え得る十分な強度を備えたパネル構造を提供することを目的とする。
【課題を解決するための手段】
【０００８】
本発明が採用した技術手段は、
第１表面材と第２表面材から中空状に形成された２つ以上の分割パネルを幅方向に連結してなるパネル構造であって、
幅方向に隣り合う第１分割パネルと第２分割パネルにおいて、
第１分割パネルの中空部の上側部位、下側部位には第１上側連結部材、第１下側連結部材がそれぞれ固定されており、
第２分割パネルの中空部の上側部位、下側部位には第２上側連結部材、第２下側連結部材がそれぞれ固定されており、
第１上側連結部材と第２上側連結部材を着脱可能に連結し、第１下側連結部材と第２下側連結部材を着脱可能に連結することで、第１分割パネルと第２分割パネルが連結されており、
第１分割パネルと第２分割パネルの間には空間が形成されており、前記空間を覆うように、細幅分割パネルが着脱可能に装着されている、
シャッターのパネル構造、である。
後述する実施形態では、１つの好ましい態様として、３つの分割パネルを幅方向に連結することでパネルが形成されているが、本発明の技術思想は、分割パネルの個数に限定されず適用できる。
後述する実施形態では、例えば図９に示す態様において、第１上側連結部材は第１連結部材４であり、第１下側連結部材は第２連結部材５であり、第２上側連結部材は第２連結部材５であり、第２下側連結部材は第１連結部材４である。
【０００９】
１つの態様では、
前記第１上側連結部材は、前記第１分割パネルの中空部の上側部位の内面の一部に当接するように固定され、当該第１上側連結部材と前記上側部位によって囲まれた第１上側ホロー構造が形成されており、
前記第１下側連結部材は、前記第１分割パネルの中空部の下側部位の内面の一部に当接するように固定され、当該第１下側連結部材と前記下側部位によって囲まれた第１下側ホロー構造が形成されており、
前記第２上側連結部材は、前記第２分割パネルの中空部の上側部位の内面の一部に当接するように固定され、当該第２上側連結部材と前記上側部位によって囲まれた第２上側ホロー構造が形成されており、
前記第２下側連結部材は、前記第２分割パネルの中空部の下側部位の内面の一部に当接するように固定され、当該第２下側連結部材と前記下側部位によって囲まれた第２下側ホロー構造が形成されている。
【００１０】
１つの態様では、
前記第１上側連結部材と前記第２上側連結部材は、第３上側連結部材を介して連結されており、前記第３上側連結部材は、第１上側連結部材及び第２上側連結部材の一方あるいは両方に着脱可能に連結されており、
前記第１下側連結部材と前記第２下側連結部材は、第３下側連結部材を介して連結されており、前記第３下側連結部材は、第１下側連結部材及び第２下側連結部材の一方あるいは両方に着脱可能に連結されている。
後述する実施形態では、第３上側連結部材、第３下側連結部材は第３連結部材６である。
【００１１】
１つの態様では、第１上側連結部材と第２上側連結部材、第１下側連結部材と第２下側連結部材の着脱可能な連結手段は、螺子（ボルトやビスを含む広義の意味における螺子）による止着であり、後述する実施形態では、ボルトとナットを用いて着脱可能に連結されている。
１つの態様では、第１上側連結部材、第２上側連結部材は長尺部材である。
１つの態様では、第１上側連結部材、第２上側連結部材は断面視略コ字形状を備えており、当該コ字形状が前記ホロー構造の一部を形成している。
１つの態様では、細幅分割パネルは螺子を用いて着脱可能に装着される。
１つの態様では、第１分割パネルと第２分割パネルの間の空間には、いずれかの連結部材がパネル幅方向に延びており、細幅分割パネルを構成する第１表面材、第２表面材を、これら第１表面材、第２表面材の内面に位置（当接）する連結部材に螺子で連結する。
【００１２】
１つの態様では、前記第１分割パネルの幅方向端縁と前記細幅分割パネルの幅方向端縁との間、前記第２分割パネルの幅方向端縁と前記細幅分割パネルの幅方向端縁との間には隙間が存在しており、
前記第１分割パネル、前記第２分割パネルには、前記隙間を内側から塞ぐように塞ぎ要素が設けてある。
後述する実施形態では、第１塞ぎ要素、第２塞ぎ要素、第３塞ぎ要素によって隙間が塞がれる。
【発明の効果】
【００１３】
本発明では、予め工場で製作した複数の分割パネルを現場に搬入して、現場で組み立てることができる。分割パネルは、分割パネルに固定された連結部材同士を着脱可能に連結することで現場において組み立てることができ、現場においてパネルは組立分解可能なので、パネル破損時には、破損した部分を含む分割パネルを交換することができる。
分割パネルは、上下の２ヶ所において連結部材によって連結されるので、パネルの垂直荷重（図４における矢印Ｆ）に対して有効に対抗することができる。
分割パネルの中空部の上側部位及び下側部位において、連結部材に補強されたホロー構造が形成されるものにおいては、当該ホロー構造によってパネルの分割部の強度が向上される。
連結部材を連結した時に分割パネルの位置決めが行われるように、工場で分割パネルの所定位置に連結部材を固定しておくことで、現場において精度良く分割パネルを連結してパネルを組み立てることができる。
分割パネルの幅方向端縁と細幅分割パネルの幅方向端縁との間の隙間を分割パネルに設けた塞ぎ要素で塞ぐようにしたものでは、分割部における遮音性能の低下を防止することができる。
【図面の簡単な説明】
【００１４】
【図１】パネルシャッター装置の概略正面図である。
【図２】パネルシャッター装置の概略縦断面図である。
【図３】パネルシャッター装置のパネルの縦断面図、及び、パネル外面を形成する第１表面材、第２表面材の断面を示す。
【図４】本実施形態に係るパネル（中間パネル）の正面図である。
【図５】図４におけるパネルの矢視縦断面図である。
【図６】図４におけるパネルの側面図である。
【図７】図４における分割パネル１Ｄの拡大図である。
【図８】分割パネルの連結機構を説明する図である。
【図９】分割パネル１Ａと分割パネル１Ｂの連結構成を示す図である。
【図１０】図９における矢視縦断面図の部分拡大図であり、上側の連結機構を示す。
【図１１】図９における矢視縦断面図の部分拡大図であり、下側の連結機構を示す。
【図１２】分割パネル１Ａと分割パネル１Ｂの連結構成及び連結部の塞ぎ要素を示す図である。
【図１３】図１２における矢視縦断面図である。
【図１４】図１３における上側部位の拡大図である。
【図１５】第１塞ぎ要素を示す図である。
【図１６】第２塞ぎ要素を示す図である。
【図１７】第３塞ぎ要素を示す図である。
【図１８】本実施形態に係るパネル（ボトムパネル）の正面図である。
【図１９】分割パネルの連結機構を説明する図である。
【図２０】図１８における矢視縦断面図の部分拡大図であり、下側の連結機構を示す。
【図２１】分割パネル１Ａ´と分割パネル１Ｂ´の連結構成及び連結部の塞ぎ要素を示す図である。
【図２２】図２１における矢視縦断面図である。
【図２３】ボトムパネルに用いられる第２塞ぎ要素を示す図である。
【発明を実施するための形態】
【００１５】
図１〜図３は、パネルシャッターの基本構成を示す図である。図１に示すように、パネルシャッターのシャッターカーテンは複数枚のパネル１、１´、１´´を高さ方向に連結することで形成されており、シャッターカーテンは、開口部全閉姿勢にあるシャッターカーテンにおいて、最下位に位置するボトムパネル１´と、最上位に位置するトップパネル１´´と、トップパネル１´´とボトムパネル１´の間に位置する複数枚のパネル（中間パネル）１と、からなる。１つの態様では、中間パネル１は同形・同寸のパネルからなるが、高さ寸法が異なるパネルが含まれていてもよい。１つの態様では、トップパネル１´´とボトムパネル１´は同一パネルからなり、上下反転した態様でシャッターカーテンの上端部位、下端部位を形成する。図２に示すように、開口部開放時には、シャッターカーテンは開口部上方の収納部に収納される。
【００１６】
図３に示すように、パネル１は所定形状に加工した２枚の第１表面材２、第２表面材３を張り合わせることで中空状に形成されている。パネル１の第１表面材２、第２表面材３の構成について、垂直姿勢にある第１表面材２、第２表面材３に基づいて説明する。なお、説明中の「上」、「下」、「垂直」、「水平」等の文言は、説明の基礎となる第１表面材２、第２表面材３の姿勢に依存して変わり得ることが当業者に理解される。また、以下の説明において、パネル１の第１見付面側を第１側、第２見付面側を第２側とする。
【００１７】
図３に示すように、第１表面材２は、パネル１の第１見付面を形成する第１面部２０と、第１面部２０の上方部位に第２側に向かって形成した水平辺２１と、水平辺２１から上方に立ち上がる垂直辺２２と、垂直辺２２の上端から第２側に向かって水平に延びる上面２３と、上面２３から上方に立ち上がる立ち上がり辺２４と、第１面部２０の下端に第２側に向かって折り曲げ形成した下辺２５と、下辺２５の先端を折り曲げ形成した下側立ち上がり辺２６と、を備えている。
【００１８】
図３に示すように、第２表面材３は、パネル１の第２見付面を形成する第２面部３０と、第２面部３０の下方部位に第１側に向かって形成した水平辺３１と、水平辺３１から垂下する垂直辺３２と、垂直辺３２の下端から第１側に向かって水平に延びる下面３３と、下面３３から垂下する垂下辺３４と、第２面部３０の上端に第１側に向かって折り曲げ形成した上辺３５と、上辺３５の先端を折り曲げ形成した上側垂下辺３６と、を備えている。
【００１９】
本実施形態では、第１表面材２と第２表面材３は同一・同形の要素であり、上下反転した姿勢で、第２表面材３の第２面部３０の上方部位に、第１表面材２の上側立ち上がり辺２４を連結し、第１表面材２の第１面部２０の下方部位に、第２表面材３の下側垂下辺３４を連結することで、組み立てられる。第１表面材２と第２表面材３の連結手段としては、接着剤による接着、溶接、螺子による止着を例示することができる。
【００２０】
第１表面材２の第１面部２０、上面２３、第２表面材３の第２面部３０、下面３３が、それぞれパネル１の第１見付面、上面、第２見付面、下面を形成しており、第１見付面の上方部位には段部（水平辺２１と垂直辺２２からなる）が形成されており、第２見付面の下方部位には段部（水平辺３１と垂直辺３２からなる）が形成されている。垂直姿勢にある上下隣位のパネル１、１において、上側に位置するパネル１の第１面部２０の下端部位（下面３３を越えて下方に延びる部位）が下側に位置するパネル１の第１面部２０の上方の段部にオーバーラップし、下側に位置するパネル１の第２面部２０の上端部位（上面２３を越えて上方に延びる部位）が上側に位置するパネル１の第２面部３０の下方の段部にオーバーラップする（図３参照）。
【００２１】
図４に示すように、本実施形態では、各パネル１は、幅方向に３分割されており、主として３枚の分割パネル１Ａ、１Ｂ、１Ｃから構成されている。幅方向に隣り合う分割パネル同士の連結、すなわち、分割パネル１Ａと分割パネル１Ｂ、分割パネル１Ｂと分割パネル１Ｃの連結は、第１連結部材４、第２連結部材５、第３連結部材６からなる連結機構を用いて行われる。分割パネル１Ａ、１Ｂ、１Ｃの連結部に位置して、当該連結部を覆うように細幅の分割パネル１Ｄが設けてあり、分割パネル１Ａ、１Ｂ、１Ｃを連結機構によって連結し、連結部に分割パネル１Ｄを装着することで１枚のパネル１が形成される。各分割パネル１Ａ、１Ｂ、１Ｃ、１Ｄは、従来のパネルと同様に、所定形状に折り曲げ加工した２枚の第１表面材２、第２表面材３を張り合わせることで形成される。連結機構の詳細な説明は後述する。
【００２２】
分割パネルの連結部には、パネル分割に伴う遮音性能の低下を防止するべく、第１塞ぎ要素７、第２塞ぎ要素８、第３塞ぎ要素９が設けられる。これらの塞ぎ要素７、８、９の詳細な説明は後述する。
【００２３】
図３に示すように、パネル１の中空部には芯材（グラスウール等）１０が充填されている。第１表面材２の第１面部２０、第２表面材３の第２面部３０の内面には板状の制振材１１が貼着されている。パネル１の中空部には、パネル１を厚さ方向に横断する断面形状を有し、パネル１の幅方向に亘って延びる補強材１２が設けてある。本実施形態では、芯材１０、制振材１１、補強材１２は、各分割パネル１Ａ、１Ｂ、１Ｃ、１Ｄの内部にそれぞれ設けられる。
【００２４】
パネル１の上面２３、下面３３には、開口部全閉時に上下隣位のパネル１の下面３３、上面２３に圧接するゴム製の気密材１３が設けてあり、開口部全閉時において、上下隣位のパネル１間の隙間を密閉し、閉塞するようになっている。さらに、パネル１の上面２３、下面３３には樹脂ブロックからなる当接材１３０が設けてあり（例えば、幅方向に部分的に設けられる）、開口部全閉時に当接材１３０がスペーサとして機能し、気密材１３の過度の変形を防止し、適切な弾性変形を維持するようになっている。当接材１３０は、さらに、上下のパネル１の内外方向の位置決め機能を有する。
【００２５】
各パネル１の幅方向両端部位には、ガイドローラ１４（図２参照）を設けた支軸が突設されており、各パネル１は支軸を介してチェーン１５（図２参照）に連結されて吊持される。開口部の幅方向両端部には、各パネル１のガイドローラ１４を案内するガイドレール１６が設けてあり、開口部上方の収納部には、ガイドレール１６の略上方に位置してチェーン１５を巻き掛けするためのスプロケット１７が設けてある。収納部の後方側に設けた開閉機１８によってスプロケット１７を所定方向に回転させて、チェーン１５を巻き上げ、あるいは、繰り出すことで、各パネル１は、幅方向両端のガイドローラ１４がガイドレール１７に案内されながら、開口部高さ方向に昇降する。収納部には、前方から後方に向かって緩やかに下向き傾斜状に延出する収納レール１９が設けてあり、チェーン１５の巻き上げによって、パネル１は幅方向両端のガイドローラ１４が開口部左右のガイドレール１６に案内されながら上昇し、開口部上方に設けた収納レール１９にパネル１を順次案内して収納部にパネル１を収納して開口部を開放する。開口部全閉時には、複数のパネル１、１´、１´´が気密材１３を介して上下方向に互いに密接することで開口部を閉鎖する。
【００２６】
本実施形態では、パネル１を構成する各分割パネル１Ａ、１Ｂ、１Ｃ、１Ｄは、図３に示す形状を備えた第１表面材２、第２表面材３から中空状に形成される。分割パネル１Ａの一端（図４における左側端）はパネル１の端面１０Ａを形成し、他端は分割パネル１Ｂの一端と着脱可能に連結され、分割パネル１Ｂの他端は分割パネル１Ｃの一端と着脱可能に連結され、分割パネル１Ｃの他端（図４における右側端）はパネル１の端面１１Ｃを形成する。分割パネル１Ａと分割パネル１Ｂの連結部、分割パネル１Ｂと分割パネル１Ｃの連結部を覆うように分割パネル１Ｄが設けられる。
【００２７】
各分割パネル１Ａ、１Ｂ、１Ｃは、パネル高さ方向の上下２ヶ所において、連結機構によって連結されている。図８に示すように、連結機構は、一方の分割パネルに固定される第１連結部材４と、他方の分割パネルに固定される第２連結部材５と、第１連結部材４と第２連結部材５を連結する第３連結部材６からなり、第１連結部材４と第２連結部材５の長さ方向端面４３、５３同士を当接した状態で、第１連結部材４と第２連結部材５に跨って当接させた第３連結部材６をボルトＢで第１連結部材４、第２連結部材５に固定することで、一方の分割パネルと他方の分割パネルを連結するようになっている。図４と図８を対比するとわかるように、図８に示す連結機構は、分割パネル１Ａと分割パネル１Ｂの上側部位を連結する連結機構を示している。図示の態様では、例えば、分割パネル１Ｂと分割パネル１Ｃの上側部位を連結する構成は図４に示す構成と左右対称となっているが、連結機構の基本的な構成（第１連結部材４、第２連結部材５、第３連結部材６から構成される）は同じである。
【００２８】
図４に示すように、分割パネル１Ａの他端の上側部位には第１連結部材４が固定され、分割パネル１Ｂの一端の上側部位には第２連結部材５が固定され、第１連結部材４と第２連結部材５は第３連結部材６によって連結されている。分割パネル１Ａの他端の下側部位には第２連結部材５が固定され、分割パネル１Ｂの一端の下側部位には第１連結部材４が固定され、第１連結部材４と第２連結部材５は第３連結部材６によって連結されている。
【００２９】
同様に分割パネル１Ｂの他端の上側部位には第２連結部材５が固定され、分割パネル１Ｃの一端の上側部位には第１連結部材４が固定され、第１連結部材４と第２連結部材５は第３連結部材６によって連結されている。分割パネル１Ｂの他端の下側部位には第１連結部材４が固定され、分割パネル１Ｃの一端の下側部位には第２連結部材５が固定され、第１連結部材４と第２連結部材５は第３連結部材６によって連結されている。
【００３０】
図５、図８、図１０に示すように、第１連結部材４は、上下に離間対向する水平辺４０、４１と、水平辺４０、４１の基端同士を連結する垂直辺４２と、から断面視コ字形状を有しており、パネル幅方向に延びる所定長（長さ方向端面４３、４４間の距離）を備えた長尺部材である。水平辺４１の幅寸法（パネル厚方向の寸法）は水平辺４０の幅寸法よりも大きい。第１連結部材４が分割パネルの上側部位に設けられる場合には、水平辺４０が上辺、水平辺４１が下辺となり、第１連結部材４が分割パネルの下側部位に設けられる場合には、水平辺４０が下辺、水平辺４１が上辺となる。
【００３１】
図５、図８、図１１に示すように、第２連結部材５は、上下に離間対向する水平辺５０、５１と、水平辺５０、５１の基端同士を連結する垂直辺５２と、から断面視コ字形状を有しており、パネル幅方向に延びる所定長（長さ方向端面５３、５４間の距離）を備えた長尺部材である。水平辺５１の幅寸法（パネル厚方向の寸法）は水平辺５０の幅寸法よりもよりも大きい。第１連結部材４と第２連結部材５は、長さ寸法が異なる（第１連結部材４が短尺で、第２連結部材５が長尺）のみで、同形・同寸の断面形状を有している。第２連結部材５が分割パネルの上側部位に設けられる場合には、水平辺５０が上辺、水平辺５１が下辺となり、第２連結部材５が分割パネルの下側部位に設けられる場合には、水平辺５０が下辺、水平辺５１が上辺となる。
【００３２】
図５、図８、図１０、図１１に示すように、第３連結部材６は、第１連結部材４と第２連結部材５を連結する部材であり、離間対向する垂直辺６０、６１と、垂直辺６０、６１の基端同士を連結する水平辺６２と、から断面視略コ字形状を有しており、パネル幅方向に延びる所定長（長さ方向端面６３、６４間の距離）を備えた長尺部材である。垂直辺６１の基端側は傾斜辺６１０となっている。水平辺６２の幅寸法（パネル厚方向の寸法）は第１連結部材４の水平辺４１、第２連結部材５の水平辺５１の幅寸法よりも小さい。第３連結部材６が分割パネルの上側部位に設けられる場合には、水平辺６２が上辺となり、第３連結部材６が分割パネルの下側部位に設けられる場合には、水平辺６２が下辺となる。
【００３３】
図８に示すように、第１連結部材４と第２連結部材５の端面４３、５３同士を当接させた状態で、第１連結部材４の水平辺４１と第２連結部材５の水平辺５１は１枚の板状に連続して延びている。この状態において、第３連結部材６の水平辺６２を水平辺４１と水平辺５１に跨って当接させ、ボルトＢとナットＮで一体化する。本実施形態では、第１連結部材４と第２連結部材５を、第３連結部材６を介して連結した状態において、第３連結部材６の端面６３が第１連結部材４の端面４４に一致しており、第３連結部材６の長さ方向の中央が、第１連結部材４と第２連結部材５の当接部（端面４３、５３）に位置している。すなわち、第３連結部材６の長さ方向の第１半部が第１連結部材４に当接して連結されており、第２半部が第２連結部材５に当接して連結されている。第３連結部材６の垂直辺６０、６１間の距離は、第１連結部材４の水平辺４１（第２連結部材５の水平辺５１）の幅寸法よりも小さく、第３連結部材６を第１連結部材４、第２連結部材５に連結した状態において、垂直辺６１を通る垂直面上に、第１連結部材４の水平辺４１（第２連結部材５の水平辺５１）の先端が位置し、垂直辺６０を通る垂直面の外側に第１連結部材４の垂直辺４２（第２連結部材５の垂直辺５２）が位置する。
【００３４】
分割パネルの連結について、分割パネル１Ａと分割パネル１Ｂの連結に基づいて詳細に説明する。図９に示すように、分割パネル１Ａと分割パネル１Ｂは、高さ方向の上下２ヶ所において、連結機構によって連結されている。分割パネル１Ａの他端の上側部位、下側部位には第１連結部材４、第２連結部材５が予め固定されており、分割パネル１Ｂの一端の上側部位、下側部位には第２連結部材５、第１連結部材４が予め固定されている。さらに、上側の第３連結部材６の一方の半部（図９における左側半部）は、分割パネル１Ａの中空部の上側部位において、第１連結部材４に予め連結されており、下側の第３連結部材６の一方の半部（図９における右側半部）は、分割パネル１Ｂの中空部の下側部位において、第１連結部材４に予め連結されている。現場において、第１連結部材４と第２連結部材５を、長さ方向端面４３、５３同士を当接させた状態で、第３連結部材６を介してボルトＢとナットＮで連結することで、分割パネル１Ａと分割パネル１Ｂは連結される。より具体的には、分割パネル１Ａの上側部位に固定された第１連結部材４に連結されている上側の第３連結部材６の他方の半部（図９における右側半部）と分割パネル１Ｂの上側部位に固定された第２連結部材５とを、分割パネル１Ａ、１Ｂの端縁１１Ａ、１０Ｂ間の空間において、ボルトＢとナットＮで連結し、分割パネル１Ｂの下側部位に固定された第１連結部材４に連結されている下側の第３連結部材６の他方の半部（図９における左側半部）と分割パネル１Ａの下側部位に固定された第２連結部材５とを、分割パネル１Ａ、１Ｂの端縁１１Ａ、１０Ｂ間の空間において、ボルトＢとナットＮで連結する。
【００３５】
図１０に示すように、分割パネル１Ａの他端の中空部の上側部位において、第１連結部材４は、上側の水平辺４０をパネルの上面２３に当接させ、垂直辺４２をパネルの第２面部３０の上方部位（垂直辺２２に対向する部位）に当接させ、下側の水平辺４１の先端を水平辺２１に当接させた状態で溶接されている。第１連結部材４は、分割パネル１Ａの他端縁１１Ａより僅かに突出しており、第１連結部材４の端面４３は分割パネル１Ａの中空部の外に位置している。
【００３６】
図５に示すように、分割パネル１Ｂの一端の中空部の上側部位において、第２連結部材５は、上側の水平辺５０をパネルの上面２３に当接させ、垂直辺５２をパネルの第２面部３０の上方部位（垂直辺２２に対向する部位）に当接させ、下側の水平辺５１の先端を水平辺２１に当接させた状態で溶接されている。第２連結部材５は、分割パネル１Ｂの一端縁１０Ｂよりも大きく突出しており、第２連結部材５の長さ方向半部は分割パネル１Ｂの中空部の外に位置している。
【００３７】
図５、図１１に示すように、分割パネル１Ａの他端の中空部の下側部位において、第２連結部材５は、下側の水平辺５０をパネルの下面３３に当接させ、垂直辺５２をパネルの第１面部２０の下方部位（垂直辺３２に対向する部位）に当接させ、上側の水平辺５１の先端を水平辺３１に当接させた状態で溶接されている。第２連結部材５は、分割パネル１Ａの他端縁１１Ａよりも大きく突出しており、第２連結部材５の長さ方向半部は分割パネル１Ａの中空部の外に位置している。
【００３８】
分割パネル１Ｂの一端の中空部の下側部位において、第１連結部材４は、下側の水平辺４０をパネルの下面３３に当接させ、垂直辺４２をパネルの第１面部２０の下方部位（垂直辺３２に対向する部位）に当接させ、上側の水平辺４１の先端を水平辺３１に当接させた状態で溶接されている。第１連結部材４は、分割パネル１Ｂの一端縁１０Ｂより僅かに突出しており、第１連結部材４の端面４３は分割パネル１Ｂの中空部の外に位置している。
【００３９】
第１連結部材４の長さ方向端面４３と第２連結部材５の長さ方向端面５３を当接させた状態で、第１連結部材４の水平辺４１と第２連結部材５の水平辺５１とに跨って第３連結部材６の水平辺６２を当接させ、長さ方向に間隔を存して複数箇所でボルトＢとナットＮを用いて第３連結部材６の水平辺６２と第１連結部材４の水平辺４１、第２連結部材５の水平辺５１を連結する。第１連結部材４、第２連結部材５、第３連結部材６は断面視略コ字状で長さ方向両端が開放状の部材なので、現場におけるボルトＢとナットＮを用いた連結作業に支障はない。
【００４０】
連結機構は、分割パネル同士を連結する機能に加えて、分割部の強度を向上させる補強機能を備えている。分割パネル１Ａの他端の中空部の上側部位において、第１連結部材４の水平辺４０が上面２３の内面に当接し、第１連結部材４の垂直辺４２が第２面部３０の上方部位（垂直辺２２に対向する部位）の内面に当接し、第１連結部材４の水平辺４１が分割パネル１Ａのパネル全厚に亘って延び、先端が水平辺２１の内面に当接している。分割パネル１Ａの他端の中空部の下側部位において、第２連結部材５の水平辺５０が下面３３の内面に当接し、第２連結部材５の垂直辺５２が第１面部２０の下方部位（垂直辺３２に対向する部位）の内面に当接し、第２連結部材５の水平辺５１が分割パネル１Ａのパネル全厚に亘って延び、先端が水平辺３１の内面に当接している。
【００４１】
このように、分割パネル１Ａの中空部の上側部位には、当該上側部位と第１連結部材４によって形成され、かつ第１連結部材４によって補強されたホロー構造（水平辺４０、４１、垂直辺４２、垂直辺２２で囲まれている）が形成され、下側部位には、当該下側部位と第２連結部材５によって形成され、かつ第２連結部材５によって補強されたホロー構造（水平辺５０、５１、垂直辺５２、垂直辺３２で囲まれている）が形成される。
【００４２】
分割パネル１Ｂの一端の中空部の上側部位において、第２連結部材５の水平辺５０が上面２３の内面に当接し、第２連結部材５の垂直辺５２が第２面部３０の上方部位（垂直辺２２に対向する部位）の内面に当接し、第２連結部材５の水平辺５１が分割パネル１Ｂのパネル全厚に亘って延び、先端が水平辺２１の内面に当接している。分割パネル１Ｂの一端の中空部の下側部位において、第１連結部材４の水平辺４０が下面３３の内面に当接し、第１連結部材４の垂直辺４２が第１面部２０の下方部位（垂直辺３２に対向する部位）の内面に当接し、第１連結部材４の水平辺４１が分割パネル１Ｂのパネル全厚に亘って延び、先端が水平辺３１の内面に当接している。
【００４３】
このように、分割パネル１Ｂの上側部位には、当該上側部位と第２連結部材５によって形成され、かつ第２連結部材５によって補強されたホロー構造（水平辺５０、５１、垂直辺５２、垂直辺２２で囲まれている）が形成され、下側部位には、当該下側部位と第１連結部材４によって形成され、かつ第１連結部材４によって補強されたホロー構造（水平辺４０、４１、垂直辺４２、垂直辺３２で囲まれている）が形成される。
【００４４】
分割パネル１Ａと分割パネル１Ｂの連結部の上側部位において、第３連結部材６の垂直辺６１は第１面部２０に当接し、垂直辺６０は第２面部３０から離間しており（図１０参照）、下側部位において、第３連結部材６の垂直辺６１は、第２面部３０に当接し、垂直辺６０は第１面部２０から離間している（図１１参照）。
【００４５】
図９に示すように、分割パネル１Ａと分割パネル１Ｂを連結機構によって連結した状態において、分割パネル１Ａの他端縁１１Ａと分割パネル１Ｂの一端縁１０Ｂとは離間しており、分割パネル１Ａの他端縁１１Ａと分割パネル１Ｂの一端縁１０Ｂとの間の空間を塞ぐように、細幅の分割パネル１Ｄが取り付けられる（図７参照）。分割パネル１Ｄは、他の分割パネル１Ａ、１Ｂ、１Ｃと同様に、第１表面材２と第２表面材３からなる。分割パネル１Ｄを形成する第１表面材２と第２表面材３は現場において螺子Ｓで固定される。具体的には、第１表面材２及び第２表面材３は、第１面部２０及び第２面部３０を、第１面部２０、第２面部３０の内面に当接する第３連結部材６の垂直辺６１、第２連結部材５の垂直辺５２に螺子Ｓで連結することで取り付けられる。
【００４６】
図７に示すように、分割パネル１Ｄを装着した状態で、分割パネル１Ｄの幅方向の両端縁１０Ｄ、１１Ｄと隣接する分割パネル１Ａ、１Ｂの端縁１１Ａ、１０Ｂは隙間Ｇによって離間しており、パネルシャッターの設置用途・目的において遮音性能が要求される場合には課題が残り得る。本実施形態では、第１塞ぎ要素７、第２塞ぎ要素８、第３塞ぎ要素９を設けて隙間Ｇを内側から塞ぐことで、遮音性能の低下を防止する。
【００４７】
図１５に示すように、第１塞ぎ要素７は、水平辺７０と垂直辺７１から断面視Ｌ形状に形成された板材である。第１塞ぎ要素７は、分割パネル１Ａの他端の中空部の上側部位及び下側部位、分割パネル１Ｂの一端の中空部の上側部位及び下側部位に位置させて、第１連結部材４ないし第２連結部材５に固定されている。第１塞ぎ要素７の垂直辺７１の高さ寸法は、第１連結部材４の水平辺４０、４１（第２連結部材５の水平辺５０、５１）間の寸法と略同じであり、水平辺７０を水平辺４０（５０）に当接させた時に、垂直辺７１の端部が水平辺４１（５１）に接触ないし近接するようになっており、当接部及び接触部ないし近接部を溶接することで、第１連結部材４ないし第２連結部材５に固定される。
【００４８】
第１塞ぎ要素７は所定の幅寸法を有しており、垂直辺７１の幅方向の第１部分が垂直辺２２、３２に当接し、残りの第２部分が分割パネル１Ａの他端縁１１Ａ、分割パネル１Ｂの一端縁１０Ｂからはみ出している。第１塞ぎ要素７の垂直辺７１の第２部分の幅寸法は、分割パネル１Ｄの端縁１０Ｄ、１１Ｄと隣接する分割パネル１Ａ、１Ｂの端縁１１Ａ、１０Ｂとの間の隙間Ｇよりも大きい。
【００４９】
図１６に示すように、第２塞ぎ要素８は、対向する見付辺８０、８１と見込辺８２から断面視コ字形状を備え、見付辺８０の上端は見込辺８２の上端を越えて延びる延出部８００となっており、見付辺８１の下端は見込辺８２の下端を越えて延びる延出部８１０となっている。第２塞ぎ要素８は、分割パネル１Ａの他端において、上側の第１連結部材４の水平辺４１と下側の第２連結部材５の水平辺５１との間に位置して設けられる。第２塞ぎ要素８は、分割パネル１Ｂの一端において、上側の第２連結部材５の水平辺５１と下側の第１連結部材４の水平辺４１との間に位置して設けられる。第２塞ぎ要素８は、例えば、溶接、螺子による止着によって取り付けられる。第２塞ぎ要素８の見込辺８２の高さ寸法は、上側の第３連結部材６の垂直辺６０、６１の下端と下側の第３連結部材６の垂直辺６０、６１の上端との間の距離と略同じであり、延出部８００が上側の第３連結部材６の垂直辺６０に離間対向し、第２面部３０に接触ないし近接しており、延出部８１０が下側の第３連結部材６の垂直辺６０に離間対向し、第１面部２０に接触ないし近接している。
【００５０】
第２塞ぎ要素８は所定の幅寸法を有しており、見付辺８０、８１の幅方向の第１部分が第１面部２０、第２面部３０に当接し、残りの第２部分が分割パネル１Ａの他端縁１１Ａ、分割パネル１Ｂの一端縁１０Ｂからはみ出している。第２塞ぎ要素８の見付辺８１の第２部分の幅寸法は、分割パネル１Ｄの端縁１０Ｄ、１１Ｄと隣接する分割パネル１Ａ、１Ｂの端縁１１Ａ、１０Ｂとの間の隙間Ｇよりも大きい。
【００５１】
図１７に示すように、第３塞ぎ要素９は、水平辺９０と垂直辺９１から断面視Ｌ形状に形成された板材であり、垂直辺９１の上端には水平状の折曲辺９２が形成されている。第３塞ぎ要素９は、分割パネル１Ａの他端の上側部位、下側部位、分割パネル１Ｂの一端の上側部位、下側部位に位置させて、第１連結部材４ないし第２連結部材５に固定されている。図示の態様では、第３塞ぎ要素９は螺子Ｓによって取り付けられるが、取付手段は限定されない。第３塞ぎ要素９の垂直辺９１の高さ寸法は、上面２３から第２見付面（第２面部３０）の上端までの寸法、下面３３から第１見付面（第１面部２０）の下端までの寸法と略同じであり、水平辺９０を上面２３、下面３３に固定した時に、垂直辺９１の上端の折曲辺９２、下端の折曲辺９２が、上側の折り返し部（上辺３５、上側垂下辺３６）、下側の折り返し部（下辺２５、下側立ち上がり辺２６）内にそれぞれ位置するようになっている。
【００５２】
第３塞ぎ要素９は所定の幅寸法を有しており、垂直辺９１の幅方向の第１部分が第１面部２０、第２面部３０に近接し、残りの第２部分が分割パネル１Ａの他端縁１１Ａ、分割パネル１Ｂの一端縁１０Ｂからはみ出している。第３塞ぎ要素９の垂直辺９１の第２部分の幅寸法は、分割パネル１Ｄの端縁１０Ｄ、１１Ｄと隣接する分割パネル１Ａ、１Ｂの端縁１１Ａ、１０Ｂとの間の隙間Ｇよりも大きい。
【００５３】
図１２に示すように、上側の第３塞ぎ要素９の垂直辺９１の第２部分、上側の第１塞ぎ要素７の垂直辺７１の第２部分、中間の第２塞ぎ要素８の見付辺８０、８１の第２部分、下側の第１塞ぎ要素７の垂直辺７１の第２部分、下側の第３塞ぎ要素９の第２部分が、分割パネル１Ａの他端縁１１Ａ、分割パネル１Ｂの一端縁１０Ｂからそれぞれ突出しており、これらの第２部分によって隙間Ｇを塞ぐことで、分割部における遮音性能の低下を可及的に防止している。
【００５４】
１つの態様では、分割パネル１Ａ、１Ｂ、１Ｃは工場で製作され、分割パネル１Ｄ用の第１表面材２、第２表面材３と共に現場に搬入され、ボルトＢ、ナットＮ、螺子Ｓを用いて現場でパネル（中間パネル）１が組み立てられる。
【００５５】
分割パネル１Ａは、第１表面材２と第２表面材３とから中空状に形成されており、幅方向の一端側が端面１０Ａとなっており、他端側の中空部の上側部位には第１連結部材４、第１塞ぎ要素７、第３塞ぎ要素９が固定され、下側部位には第２連結部材５、第１塞ぎ要素７、第３塞ぎ要素９が固定され、中間部位には第２塞ぎ要素８が固定されている。第１連結部材４の端面４３は分割パネル１Ａの他端縁１１Ａから突出した位置にあり、第２連結部材５の長さ方向半部は分割パネル１Ａの他端縁１１Ａから突出しており、上下の第１塞ぎ要素７、中間の第２塞ぎ要素８、上下の第３塞ぎ要素９の一部は、分割パネル１Ａの他端縁１１Ａから突出している。
【００５６】
分割パネル１Ｂは、第１表面材２と第２表面材３とから中空状に形成されており、幅方向の一端側の中空部の上側部位には第２連結部材５、第１塞ぎ要素７、第３塞ぎ要素９が固定され、下側部位には第１連結部材４、第１塞ぎ要素７、第３塞ぎ要素９が固定され、中間部位には第２塞ぎ要素８が固定されており、他端側の上側部位には第２連結部材５、第１塞ぎ要素７、第３塞ぎ要素９が固定され、下側部位には第１連結部材４、第１塞ぎ要素７、第３塞ぎ要素９が固定され、中間部位には第２塞ぎ要素８が固定されている。第１連結部材４の端面４３は分割パネル１Ｂの端縁１０Ｂ、１１Ｂから突出した位置にあり、第２連結部材５の長さ方向半部は分割パネル１Ｂの端縁１０Ｂ、１１Ｂから突出しており、上下の第１塞ぎ要素７、中間の第２塞ぎ要素８、上下の第３塞ぎ要素９の一部は、分割パネル１Ｂの端縁１０Ｂ、１１Ｂから突出している。
【００５７】
分割パネル１Ｃは、幅方向の一端側の中空部の上側部位には第１連結部材４、第１塞ぎ要素７、第３塞ぎ要素９が固定され、下側部位には第２連結部材５、第１塞ぎ要素７、第３塞ぎ要素９が固定され、中間部位には第２塞ぎ要素８が固定されており、幅方向の他端側が端面１１Ｃとなっている。第１連結部材４の端面４３は分割パネル１Ｃの一端縁１０Ｃから突出した位置にあり、第２連結部材５の長さ方向半部は分割パネル１Ｃの一端縁１０Ｃから突出しており、上下の第１塞ぎ要素７、中間の第２塞ぎ要素８、上下の第３塞ぎ要素９の一部は、分割パネル１Ｃの一端縁１０Ｃから突出している。
【００５８】
上述のように、分割パネル１Ａ、１Ｂ、１Ｃは工場で製作されるが、工場における製作時に、第１連結部材４、第２連結部材５、第３連結部材６からなる連結機構をボルトＢとナットＮで組み立てた状態（図８参照）とし、この連結機構を用いて分割パネル１Ａ、１Ｂ、１Ｃの一方の表面材（第１表面材２あるいは第２表面材３）を位置合わせした状態で、第１連結部材４、第２連結部材５を分割パネル１Ａ、１Ｂ、１Ｃの一方の表面材（第１表面材２あるいは第２表面材３）の上側部位の所定位置に固定（溶接）する。同様に、分割パネル１Ａ、１Ｂ、１Ｃの他方の表面材（第１表面材３あるいは第２表面材２）を位置合わせした状態で、第１連結部材４、第２連結部材５を分割パネル１Ａ、１Ｂ、１Ｃの他方の表面材（第１表面材３あるいは第２表面材２）の下側部位の所定位置に固定（溶接）する。そして、連結機構によって上側部位が連結された分割パネル１Ａ、１Ｂ、１Ｃの一方の半部（連結機構によって連結された一方の表面材）と、連結機構によって下側部位が連結された分割パネル１Ａ、１Ｂ、１Ｃの他方の半部（連結機構によって連結された他方の表面材）とを張り合わせて固定することで分割パネル１Ａ、１Ｂ、１Ｃからパネル１を組み立てる。次いで、連結機構において、第２連結部材５と第３連結部材６を連結しているボルトＢを取り外すことで、第１連結部材４（第３連結部材６が連結されている）、第２連結部材５が固定された分割パネル１Ａ、１Ｂ、１Ｃを得る。こうすることで、現場では、第１連結部材４の端面４３と第２連結部材５の端面５３を当接させて、第３連結部材６（分割パネル１Ａ、１Ｂ、１Ｃの端縁１１Ａ、１０Ｂ、１１Ｂ、１０Ｃから突出する部位）をボルトＢとナットＮで第２連結部材５（分割パネル１Ａ、１Ｂ、１Ｃの端縁１１Ａ、１０Ｂ、１１Ｂ、１０Ｃから突出する部位）に固定することで、同時に、分割パネル１Ａ、１Ｂ、１Ｃの位置決めも行われ、分割部に段差等が生じることがない。このように、連結機構は、分割パネル同士を連結する機能、分割部の強度を向上させる補強機能に加えて、位置決め機構を備えている。
【００５９】
図１８〜図２３を参照しつつ、本実施形態に係るボトムパネル１´について説明する。パネル（中間パネル）１の構成要素と同一の要素については同一の参照番号が付してあり、パネル１についての上述の説明を適宜援用することができる。
【００６０】
図１８に示すように、ボトムパネル１´は、幅方向に３分割されており、主として３枚の分割パネル１Ａ´、１Ｂ´、１Ｃ´から構成されている。幅方向に隣り合う分割パネル同士の連結、すなわち、分割パネル１Ａ´と分割パネル１Ｂ´、分割パネル１Ｂ´と分割パネル１Ｃ´の連結は、上側部位では、第１連結部材４、第２連結部材５、第３連結部材６からなる連結機構を用いて、下側部位では、第１連結部材４´、第２連結部材５´、第３連結部材６´からなる連結機構を用いて行われる。分割パネル１Ａ´、１Ｂ´、１Ｃ´の連結部に位置して、当該連結部を覆うように細幅の分割パネル１Ｄ´が設けてあり、分割パネル１Ａ´、１Ｂ´、１Ｃ´を連結機構によって連結し、連結部に分割パネル１Ｄ´を装着することで１枚のパネル１´が形成される。各分割パネル１Ａ´、１Ｂ´、１Ｃ´、１Ｄ´は、所定形状に折り曲げ加工した２枚の第１表面材２´、第２表面材３´を張り合わせることで形成される。
【００６１】
図２２に示すように、第１表面材２´は、ボトムパネル１´の第１見付面を形成する第１面部２０´と、第１面部２０´の上方部位に第２側に向かって形成した水平辺２１´と、水平辺２１´から上方に立ち上がる垂直辺２２´と、垂直辺２２´の上端から第２側に向かって水平に延びる上面２３´と、上面２３´から上方に立ち上がる上側立ち上がり辺２４´と、を備えている。第２表面材３´は、ボトムパネル１´の第２見付面を形成する第２面部３０´と、第２面部３０´の下方部位に第１側に向かって形成した下面３１´と、下面３１´の先端から上方に立ち上がる下側立ち上がり辺３２´と、第２面部３０´の上端に第１側に向かって折り曲げ形成した上辺３５´と、上辺３５´の先端を折り曲げ形成した上側垂下辺３６´と、を備えている。第２表面材３´の第２面部３０´の上方部位に、第１表面材２´の上側立ち上がり辺２４´を連結し、第１表面材２´の第１面部２０´の下方部位に、第２表面材３´の下側立ち上がり辺３２´を連結することで、組み立てられる。
【００６２】
分割パネル１Ａ´と分割パネル１Ｂ´の上側部位を連結する連結機構については、既述の説明を援用することができるので、ここでは、分割パネル１Ａ´と分割パネル１Ｂ´の下側部位を連結する連結機構（第１連結部材４´、第２連結部材５´、第３連結部材６´から構成される）について説明する。図２１に示すように、分割パネル１Ａ´の他端の下側部位には第１連結部材５´が固定され、分割パネル１Ｂ´の一端の下側部位には第１連結部材４´が固定され、第１連結部材４´と第２連結部材５´は第３連結部材６´によって連結されている。なお、第１連結部材４、第２連結部材５、第３連結部材６と、第１連結部材４´、第２連結部材５´、第３連結部材６´は主として断面形状が異なるものであり、連結機構の基本構成は同じである。
【００６３】
図１９に示すように、第１連結部材４´は、上下に離間対向する水平辺４０´、４１´と、水平辺４０´、４１´の基端同士を連結する垂直辺４２´と、から断面視コ字形状を有しており、パネル幅方向に延びる所定長を備えた長尺部材である。水平辺４１´の先端には折り曲げ辺４１０´が形成されている。図１９、図２０に示すように、第２連結部材５´は、上下に離間対向する水平辺５０´、５１´と、水平辺５０´、５１´の基端同士を連結する垂直辺５２´と、から断面視コ字形状を有しており、パネル幅方向に延びる所定長を備えた長尺部材である。水平辺５１´の先端には折り曲げ辺５１０´が形成されている。第１連結部材４´と第２連結部材５´は、長さ寸法が異なる（第１連結部材４´が短尺で、第２連結部材５´が長尺）のみで、同形・同寸の断面形状を有している。図１９、２０に示すように、第３連結部材６´は、第１連結部材４´と第２連結部材５´を連結する部材であり、離間対向する垂直辺６０´、６１´と、垂直辺６０´、６１´の基端同士を連結する水平辺６２´と、から断面視略コ字形状を有している。図１９に示すように、第１連結部材４´と第２連結部材５´の端面４３´、５３´同士を当接させた状態で、第１連結部材４´の水平辺４１´と第２連結部材５´の水平辺５１´は１枚の板状に連続して延びている。この状態において、第３連結部材６´の水平辺６２´を水平辺４１´と水平辺５１´に跨って当接させ、ボルトＢとナットＮを用いて一体化する。
【００６４】
分割パネル１Ａ´の他端の中空部の下側部位において、第２連結部材５´の水平辺５０´が下面３１´の内面に当接し、第２連結部材５´の垂直辺５２´が第１面部２０´の下方部位の内面に当接し、第２連結部材５´の水平辺５１´が分割パネル１Ａ´のパネル全厚に亘って延び、先端の折り曲げ辺５１０´が第２面部３０´の下方部位の内面に当接している。このように、分割パネル１Ａ´の他端の下側部位には、当該下側部位と第２連結部材５´によって形成され、かつ第２連結部材５´によって補強されたホロー構造（水平辺５１´、水平辺５０´及び下面３１´、垂直辺５２´、第２面部３０´の下方部位で囲まれている）が形成される。分割パネル１Ｂ´の一側の中空部の下側部位においても、当該下側部位と第１連結部材４´によって形成され、かつ第１連結部材４´によって補強されたホロー構造が形成されている。
【００６５】
パネル１と同様に、ボトムパネル１´を構成する分割パネル１Ａ´、分割パネル１Ｂ´には、パネル分割に伴う遮音性能の低下を防止するべく、上側部位には第１塞ぎ要素７と第３塞ぎ要素（図２１、図２２では図示せず）が、下側部位には第１塞ぎ要素７が、中間部位には第２塞ぎ要素８´が設けられる。図２３に示すように、第２塞ぎ要素８´は、対向する見付辺８０´、８１´と見込辺８２´から断面視コ字形状を備え、見付辺８０´の上端は見込辺８２´の上端を越えて延びる延出部８００´となっており、下端は見込辺８２´の下端を越えて延びる延出部８０１´となっている。第２塞ぎ要素８´は所定の幅寸法を有しており、見付辺８０´、８１´の幅方向の第１部分が第１面部２０´、第２面部３０´に当接し、残りの第２部分が分割パネル１Ａ´の他端縁１１Ａ´、分割パネル１Ｂ´の一端縁１０Ｂ´からはみ出している。第２塞ぎ要素８´の見付辺８１´の第２部分の幅寸法は、分割パネル１Ｄ´（図２１では図示せず）の端縁と隣接する分割パネル１Ａ´、１Ｂ´の端縁１１Ａ´、１０Ｂ´との間の隙間よりも大きい。
【符号の説明】
【００６６】
１  パネル（中間パネル）
１Ａ  分割パネル
１Ｂ  分割パネル
１Ｃ  分割パネル
１Ｄ  細幅分割パネル
１´  ボトムパネル
２  第１表面材
３  第２表面材
４  第１連結部材
５  第２連結部材
６  第３連結部材
７  第１塞ぎ要素
８  第２塞ぎ要素
９  第３塞ぎ要素
Ｂ  ボルト
Ｎ  ナット
【図１】
2018141287.tif 000003
【図２】
2018141287.tif 000004
【図３】
2018141287.tif 000005
【図４】
2018141287.tif 000006
【図５】
2018141287.tif 000007
【図６】
2018141287.tif 000008
【図７】
2018141287.tif 000009
【図８】
2018141287.tif 000010
【図９】
2018141287.tif 000011
【図１０】
2018141287.tif 000012
【図１１】
2018141287.tif 000013
【図１２】
2018141287.tif 000014
【図１３】
2018141287.tif 000015
【図１４】
2018141287.tif 000016
【図１５】
2018141287.tif 000017
【図１６】
2018141287.tif 000018
【図１７】
2018141287.tif 000019
【図１８】
2018141287.tif 000020
【図１９】
2018141287.tif 000021
【図２０】
2018141287.tif 000022
【図２１】
2018141287.tif 000023
【図２２】
2018141287.tif 000024
【図２３】
2018141287.tif 000025